(57)【要約】【課題】充電器の給電端子と装置本体の受電端子の酸化により接触抵抗が増加した場合であっても、充電池の充電をすることができる自律走行装置を提供することを目的とする。【解決手段】充電時に、装置本体１を左右に回転動作させ充電器１０の給電端子１１と装置本体１の受電端子６をすり合わせるようにしたものである。これによって、充電時のすり合わせで給電端子１１と受電端子６の酸化による接触抵抗増加を防ぎ、充電池７の充電をすることができる。【選択図】図１
2009038880.tif 000002
【特許請求の範囲】
【請求項１】
定位置に設置された充電器と、この充電器から給電を受ける装置本体とを備え、前記充電器は給電手段と給電端子を有し、前記装置本体は、電力を供給する充電池と、装置本体を移動させる走行手段と、充電器の給電端子から給電を受ける受電端子と、充電器の位置を検知する充電器検知手段と、走行手段を制御する制御手段とを有し、前記装置本体の制御手段は、充電時に装置本体を左右に回転動作させ充電器の給電端子と装置本体の受電端子をすり合わせるように制御する自律走行装置。
【請求項２】
制御手段は、充電時に装置本体を左右に回転動作させ充電器の給電端子と装置本体の受電端子をすり合わせるように制御する前段において、充電器検知手段の出力により、充電器の給電端子と装置本体の受電端子の位置合わせを行わせるようにした請求項１に記載の自律走行装置。
【請求項３】
制御手段は、装置本体の回転動作中に充電器の給電端子から受電端子への電圧印可状態に応じて回転動作の回転範囲を変更するようにした請求項１または２に記載の自律走行装置。
【請求項４】
制御手段は、装置本体の回転動作中に充電器の給電端子から受電端子への電圧印可状態に応じて回転動作の停止位置を決定するようにした請求項１〜３のいずれか１項に記載の自律走行装置。
【請求項５】
制御手段は、装置本体の回転動作中に充電器の給電端子から受電端子への電圧印可状態に応じて回転動作の回数を変更するようにした請求項１〜４のいずれか１項に記載の自律走行装置。
【請求項６】
制御手段は、装置本体の回転動作中に充電器の給電端子から受電端子への電圧印可状態に応じて走行手段を制御して装置本体を充電器へ再帰着させるようにした請求項１〜５のいずれか１項に記載の自律走行装置。
【請求項７】
受電端子は装置本体の最大外郭より内側に設置され、かつ装置本体は少なくとも受電端子が設置された部分は円形状とする請求項１〜６のいずれか１項に記載の自律走行装置。
【請求項８】
請求項１〜７のいずれか１項に記載の自律走行装置における機能の少なくとも一部をコンピュータで実行させるためのプログラム。
【発明の詳細な説明】
【技術分野】
【０００１】
本発明は、自律走行掃除機、監視用ロボット、その他の作業ロボットなどの自律走行装置およびプログラムに関するものである。
【背景技術】
【０００２】
従来、この種の自律走行装置は、作業終了後に、充電池を備えた装置本体を、給電手段を備えた充電器まで移動させ、充電器側の給電端子と装置本体の受電端子を接触させて充電池の充電を行うようにしている（例えば、特許文献１参照）。
【特許文献１】特開平４−２１０７０４号公報
【発明の開示】
【発明が解決しようとする課題】
【０００３】
しかしながら、前記従来の構成では、充電時に充電器側の給電端子と装置本体の受電端子を単に接触させるだけであるため、充電器側の給電端子または装置本体の受電端子の酸化により接触抵抗が増加した場合、充電がうまく行えないという課題を有していた。
【０００４】
本発明は、前記従来の課題を解決するのもので、充電器の給電端子と装置本体の受電端子の酸化により接触抵抗が増加した場合であっても、充電不備とはならず充電池の充電をすることができる自律走行装置およびプログラムを提供することを目的とする。
【課題を解決するための手段】
【０００５】
前記従来の課題を解決するために、本発明の自律走行装置およびプログラムは、充電時に、装置本体を左右に回転動作させ充電器の給電端子と装置本体の受電端子をすり合わせるようにしたものである。
【０００６】
これによって、充電時のすり合わせで給電端子と受電端子の酸化による接触抵抗増加を防ぎ、充電池の充電をすることができる。
【発明の効果】
【０００７】
本発明の自律走行装置およびプログラムは、充電器側の給電端子と装置本体の受電端子の酸化により接触抵抗が増加した場合であっても、充電不備とはならず充電池の充電をすることができる。
【発明を実施するための最良の形態】
【０００８】
第１の発明は、定位置に設置された充電器と、この充電器から給電を受ける装置本体とを備え、前記充電器は給電手段と給電端子を有し、前記装置本体は、電力を供給する充電池と、装置本体を移動させる走行手段と、充電器の給電端子から給電を受ける受電端子と、充電器の位置を検知する充電器検知手段と、走行手段を制御する制御手段とを有し、前記装置本体の制御手段は、充電時に装置本体を左右に回転動作させ充電器の給電端子と装置本体の受電端子をすり合わせるように制御する自律走行装置とするものである。これによって、充電時のすり合わせで給電端子と受電端子の酸化による接触抵抗増加を防ぎ、充電池の充電をすることができる。
【０００９】
第２の発明は、特に、第１の発明において、制御手段は、充電時に装置本体を左右に回転動作させ充電器の給電端子と装置本体の受電端子をすり合わせるように制御する前段において、充電器検知手段の出力により、充電器の給電端子と装置本体の受電端子の位置合わせを行わせるようにしたことにより、充電器の給電端子と装置本体の受電端子の位置合わせで装置本体と充電器のズレを吸収し、確実に装置本体の受電端子と充電器へ給電端子を接触でき、かつ給電端子と受電端子の酸化による接触抵抗増加を防ぎ、充電池の充電をすることができる。
【００１０】
第３の発明は、特に、第１または第２の発明において、制御手段は、装置本体の回転動作中に充電器の給電端子から受電端子への電圧印可状態に応じて回転動作の回転範囲を変更するようにしたことにより、電圧印可状態に応じた回転動作の回転範囲の変更で装置本体の充電器への移動時の位置ズレを補正でき、かつ給電端子と受電端子の酸化による接触抵抗増加を防ぎ、充電池の充電をすることができる。
【００１１】
第４の発明は、特に、第１〜第３のいずれか１つの発明において、制御手段は、装置本体の回転動作中に充電器の給電端子から受電端子への電圧印可状態に応じて回転動作の停止位置を決定するようにしたことにより、電圧印可状態に応じた回転動作の停止位置の決定で装置本体の充電器への移動時の位置ズレを補正でき、かつ給電端子と受電端子の酸化による接触抵抗増加を防ぎ、充電池の充電をすることができる。
【００１２】
第５の発明は、特に、第１〜第４のいずれか１つの発明において、制御手段は、装置本体の回転動作中に充電器の給電端子から受電端子への電圧印可状態に応じて回転動作の回数を変更するようにしたことにより、確実に装置本体の受電端子と充電器へ給電端子を接触でき、かつ給電端子と受電端子の酸化による接触抵抗増加を防ぎ、充電池の充電をすることができる。
【００１３】
第６の発明は、特に、第１〜第５のいずれか１つの発明において、制御手段は、装置本体の回転動作中に充電器の給電端子から受電端子への電圧印可状態に応じて走行手段を制御して装置本体を充電器へ再帰着させるようにしたことにより、装置本体の充電器への再帰着で確実に装置本体の受電端子と充電器へ給電端子を接触でき、かつ給電端子と受電端子の酸化による接触抵抗増加を防ぎ、充電池の充電をすることができる。
【００１４】
第７の発明は、特に、第１〜第６のいずれか１つの発明において、受電端子は装置本体の最大外郭より内側に設置され、かつ装置本体は少なくとも受電端子が設置された部分は円形状とすることにより、受電端子の位置と装置本体の形状で確実に装置本体の受電端子と充電器へ給電端子を接触でき、かつ給電端子と受電端子の酸化による接触抵抗増加を防ぎ、充電池の充電をすることができる。
【００１５】
第８の発明は、特に、第１〜第７のいずれか１つの発明における自律走行装置の機能の少なくとも一部をコンピュータで実行させるためのプログラムとすることにより、マイコンなどを用いて自律走行装置の少なくとも一部を容易に実現することができ、各種センサの変更または経年変化などの特性の変化や動作を実現するための設定条件や定数の変更が柔軟に対応できる。また、記録媒体に記録したり通信回線を用いてプログラムを配信したりすることでプログラムの配布が簡単にできる。
【００１６】
以下、本発明の実施の形態について、図面を参照しながら説明する。なお、この実施の形態によって本発明が限定されるものではない。
【００１７】
（実施の形態１）
図１は、本発明の実施の形態１における自律走行装置を示すものである。
【００１８】
図に示すように、本実施の形態における自律走行装置は、装置本体１と、定位置に設置され装置本体１に給電する充電器１０とを備えている。
【００１９】
装置本体１は、超音波を用いて超音波の送信から障害物で反射した反射波を検知するまでの時間を基に障害物の有無や距離を検知したり、赤外線光などを用いて障害物の有無を検知したりする障害物検知手段２と、装置本体１の左右それぞれの駆動輪３を駆動し装置本体１を走行させる走行手段４と、走行手段４を制御する制御手段５と、充電器１０から給電を受ける受電端子６と、装置本体１の各手段に電力を供給する充電池７と、装置本体１の底面部の左右両側部と前方に所定間隔を隔て設けた充電器検知手段８と、従輪９と、受電端子６を通じて充電器１０から受電される電圧を検知する電圧検知手段１２と、ジャイロセンサなどで構成される装置本体１の回転角度を検知する回転角検知手段１４を有している。
【００２０】
また、充電器１０は、給電手段１３と、充電器１０の前面に配置され内側からバネ（図示せず）で付勢され装置本体１の受電端子６と接触し給電する給電端子１１とを有している。
【００２１】
前記制御手段５は、障害物検知手段２、充電器検知手段８、電圧検知手段１２の入力より、走行手段４を制御するものであり、充電池７への充電時に装置本体１を左右に回転動作させ、充電器１０の給電端子１１と装置本体１の受電端子６をすり合わせるように制御するようにしている。
【００２２】
次に、図２〜図４に、自律走行装置の装置本体１と充電器１０の関係を示している。
【００２３】
図２、図４に示すように、受電端子６は装置本体１の最大外郭より内側に設置され、かつ装置本体１は少なくとも受電端子６が設置された部分は円形状としている。また、充電器１０の給電端子１１と装置本体１の受電端子６は同じ高さに配置されている。さらに、充電器１０の前底面部の裏側には、細長い形状の磁気テープまたは磁石で構成される誘導手段１５が設置され、装置本体１を誘導するようになっている。
【００２４】
また、各図に示すように、装置本体１の障害物検知手段２は、左側面検知手段２ａ、左前検知手段２ｂ、右前検知手段２ｃ、右側面検知手段２ｄから構成されており、装置本体１の前面および側面に配置されている。装置本体１の充電器検知手段８は、左側面充電器検知手段８ａ、左前充電器検知手段８ｂ、右前充電器検知手段８ｃ、右側面充電器検知手段８ｄから構成されており、装置本体１の底面部に配置されている。なお、左前充電器検知手段８ｂ、右前充電器検知手段８ｃは、誘導手段１５の２、３倍程度の幅間隔を隔てて配置されている。前記左側面充電器検知手段８ａ、左前充電器検知手段８ｂ、右前充電器検知手段８ｃ、右側面充電器検知手段８ｄは実際には磁気を検知するホール素子などで構成される。
【００２５】
以上のように構成された自律走行装置について、図５〜図８に基づき、その動作、作用を説明する。
【００２６】
充電後、装置本体１を起動すると、充電器１０から離脱するために所定距離だけ後退を行い、その後１８０°反転を行って、乱数的に決定した角度方向に直進を行う。そして障害物検知手段２により装置本体１の前方に予め設定された距離（例えば１０ｃｍ）に障害物を検知すると停止し、再度乱数的に決定した角度方向に直進を行う動作を繰り返し、所定の作業を実行する。
【００２７】
そして、予め設定された時間が経過するか、電圧検知手段１２で検知する充電池７の電圧が予め設定された電圧まで低下した場合、例えば、図５に示すように、装置本体１は充電器１０の場所に戻るべく、右側面検知手段２ｄで検知した障害物（壁）Ｂとの距離Ｄを一定に保ちながら移動方向Ａへ移動する、いわゆる壁沿い動作を行う。
【００２８】
この壁沿い動作中、充電器１０付近まで装置本体１が近寄り、図６（ａ）に示すように、装置本体１の底面に設置した左側面充電器検知手段８ａで充電器１０の底部に設置された誘導手段１５を検知すると、装置本体１は充電器１０までたどり着いたことを認識し、装置本体１を停止する。次に、図６（ｂ）に示すように、誘導手段１５を検知した側（図６（ａ）において左側）に、右前充電器検知手段８ｃで再度検知するまで回転させる（この回転により、誘導手段１５は装置本体１の左前充電器検知手段８ｂ、右前充電器検知手段８ｃの間に存在することになる）。その後、制御手段５は左前充電器検知手段８ｂ、右前充電器検知手段８ｃによる充電器１０の誘導手段１５の検知出力を基に、図７の動作フローに示す前進を行う。
【００２９】
つまり、装置本体１を直進させ（図７のＳｔｅｐ１）、前進中、左前充電器検知手段８ｂで誘導手段１５を検知すれば（Ｓｔｅｐ２）、左方向へ方向転換し（Ｓｔｅｐ３）、右前充電器検知手段８ｃで誘導手段１５を検知すれば（Ｓｔｅｐ４）、右方向へ方向転換し（Ｓｔｅｐ５）、これを繰り返しことで装置本体１は充電器１０の誘導手段１５にほぼ沿って直進する。そして、装置本体１の受電端子６と充電器１０の給電端子１１が接触して充電器１０から給電されると、電圧検知手段１２で充電器１０から給電される電圧を検知し（Ｓｔｅｐ６）、受電端子６と充電器１０の給電端子１１が接触した旨を認識して、制御手段５は装置本体１の直進を停止する（Ｓｔｅｐ７）。それから、走行手段４を制御して、図８（ａ）に示すように、まず装置本体１を第１の所定角度（例えば２５°）で左に回転（第１の回転）させ（Ｓｔｅｐ８）、その後、図８（ｂ）に示すように、右に第１の所定角度の２倍（例えば５０°）回転（第２の回転）させ（Ｓｔｅｐ９）、さらに図８（ｃ）に示すように、第１の所定角度（例えば２５°）で左に回転（第３の回転）させる（Ｓｔｅｐ１０）。この回転動作により受電端子６と充電器１０の給電端子１１をすり合わせが行われる。
【００３０】
また、前述の第１の回転を行う前に装置本体１が充電器１０に対して直角でなく左右どちらかに傾いた状態で、前記第２の回転中、受電端子６と充電器１０の給電端子１１が接触せず、電圧検知手段１２で充電器１０から給電される電圧が検知できなかった場合、検知していた期間での中点の位置に第３の回転で戻るように第３の回転の回転角を変更し、回転の停止位置を変更する。つまり、第２の回転で５０°回転した際に、例えば最初の４０°の回転のみ電圧検知手段１２で充電器１０から給電される電圧を検知し、残りの１０°は検知できなかった場合、電圧を検知できた４０°の中点である位置に第３の回転で戻るように第３の回転の角度を２５°から３０°に変更する。
【００３１】
以上のように、本実施の形態においては、制御手段５が充電動作時に走行手段４を制御し、装置本体１を左右に回転動作させ充電器１０の給電端子１１と装置本体１の受電端子６をすり合わせることにより、受電端子６および給電端子１１の酸化による接触抵抗増加した場合であっても、充電不備とはならず充電池７の充電をすることができる。
【００３２】
なお、本実施の形態では、電圧検知手段１２を設け電圧検知手段１２が検知する電圧で装置本体１の充電器１０への帰着を検知するとしたが、これに限定されるものではなく装置本体１前方に充電器１０への接触を検知するスイッチなどを配置し、これにより充電器１０への帰着を検知するようにしてもよい。この場合、装置本体１が充電器１０へ帰着後、一定角度だけ左右に装置本体１を回転動作させることで受電端子６と給電端子１１の酸化による接触抵抗増加の充電不備を防ぐことができる。
【００３３】
さらに、本実施の形態では、第２の回転中、受電端子６と充電器１０の給電端子１１が接触せず、電圧検知手段１２で充電器１０から給電される電圧が検知できなかった場合、検知していた期間での中点の位置に第３の回転で戻るように第３の回転の停止位置を変更するとしたが、これに限定されるものではなく、中点ではなく第２の回転中、電圧検知手段１２で充電器１０から給電される電圧が検知できている回転方向側に第３の回転の回転範囲を変更する（つまり、受電端子６と給電端子１１が接触できている回転方向に第３の回転角度を大きく変更する）ことで、最初に充電器１０と装置本体１の位置関係が直角でなく傾いていて、第２の回転中に受電端子６と充電器１０の給電端子１１が接触できなくても、回転範囲を変更することで受電端子６と充電器１０の給電端子１１を確実に接触するようにできる。
【００３４】
さらに、第２の回転中、受電端子６と充電器１０の給電端子１１が短時間の接触状態と非接触状態を繰り返すいわゆるチャタリングを起こした状態の場合、第２の回転の回転方向（右回転）と逆方向（左回転）に同じ角度の回転を行う。これを所定回数（例えば２回）繰り返し、その後、再度第２の回転と第３の回転を行うことで、第２の回転の中点位置に回転を停止し、受電端子６と充電器１０の給電端子１１とのすり合わせ回数を増加させることにより、確実に端子の酸化状態を改善することができる。
【００３５】
（実施の形態２）
図９は、本発明の実施の形態２における自律走行装置の動作フローを示したものである。実施の形態１と同一要素については同一符号を付してその構成、動作の説明を省略する。
【００３６】
以下、実施の形態１の構成、動作との相違点を中心に述べる。図に示す動作フローは、実施の形態１における第２の回転の動作を改善したものであり、この第２の回転までの動作は、実施の形態１と同じであるので、第２の回転以降から説明する。
【００３７】
第１の回転が終了後、制御手段５は走行手段４を制御し装置本体１を右回転させる（Ｓｔｅｐ２１）。そして電圧検知手段１２が検知する受電端子６を通じて充電器１０から供給される電圧より、受電端子６と充電器１０の給電端子１１が予め設定された所定角度（例えば２０°）以上、接触していなければ（Ｓｔｅｐ２２）、制御手段５は装置本体１を停止し（Ｓｔｅｐ２３）、最初の第１の回転を行う前の状態に戻す（Ｓｔｅｐ２４）。その後、制御手段５は左前充電器検知手段８ｂで検知するまで装置本体１を右回転させる（Ｓｔｅｐ２５およびＳｔｅｐ２６）。そして、左前充電器検知手段８ｂで誘導手段１５を検知した場合、制御手段５は、次に右前充電器検知手段８ｃで検知するまで装置本体１を左回転させる（Ｓｔｅｐ２７およびＳｔｅｐ２８）。右前充電器検知手段８ｃで誘導手段１５を検知すると、制御手段５は、次に左前充電器検知手段８ｂと右前充電器検知手段８ｃで誘導手段１５を検知した回転位置の中点に装置本体１を戻す。
【００３８】
これにより、誘導手段１５は左前充電器検知手段８ｂと右前充電器検知手段８ｃの中間に存在し、装置本体１は充電器１０と正確に正対している状態となる。そして、制御手段５は、装置本体１を所定距離（例えば２０ｃｍ）後退させ（Ｓｔｅｐ３０）、実施の形態１と同様な帰着動作へ移行する。帰着動作の説明は省略する。
【００３９】
Ｓｔｅｐ２２で所定角度以上離脱していなければ、第２の回転の終了まで右回転動作を続け、回転終了時に第３の回転動作へ移行する。第３の回転動作は実施の形態１と同様であり説明は省略する。
【００４０】
以上のように、本実施の形態においては、第２の回転動作中、予め設定された所定角度（例えば２０°）以上、装置本体１の受電端子６と充電器１０の給電端子１１が接触していなければ、充電器１０と位置合わせと後退を行った後、充電器１０への帰着動作をやり直すことで、最初に充電器１０と装置本体１の位置関係が直角でなく傾いていて、第２の回転中に受電端子６と充電器１０の給電端子１１が接触できなくても、再度帰着動作のやり直しにより、受電端子６と充電器１０の給電端子１１とを確実に接触するようにできる。
【００４１】
（実施の形態３）
図１０は、本発明の実施の形態３における自律走行装置の動作フローを示したものである。実施の形態１と同一要素については同一符号を付してその構成、動作の説明を省略する。
【００４２】
以下、実施の形態１の構成、動作との相違点を中心に述べる。図に示す動作フローにおいて、Ｓｔｅｐ７までは実施の形態１の帰着動作と同じであるので、説明はＳｔｅｐ４０以降から行う。
【００４３】
制御手段５はＳｔｅｐ７で装置本体１を停止後、走行手段４を制御し、左前充電器検知手段８ｂで誘導手段１５を検知するまで装置本体１を右回転させる（Ｓｔｅｐ４０およびＳｔｅｐ４１）。
【００４４】
そして、左前充電器検知手段８ｂで誘導手段１５を検知した場合、制御手段５は次に右前充電器検知手段８ｃで検知するまで装置本体１を左回転させる（Ｓｔｅｐ４２およびＳｔｅｐ４３）。右前充電器検知手段８ｃで誘導手段１５を検知すると、制御手段５は次に左前充電器検知手段８ｂと右前充電器検知手段８ｃで誘導手段１５を検知した回転位置の中点に装置本体１を戻す（Ｓｔｅｐ４４）。これにより誘導手段１５は左前充電器検知手段８ｂと右前充電器検知手段８ｃの中間に存在し、装置本体１は充電器１０と正確に正対している状態となる。そして制御手段５は実施の形態１と同じ第１の回転動作へ移行し、以降の動作は実施の形態１と同じである。
【００４５】
以上のように、本実施の形態においては、装置本体１が充電器１０に帰着後、充電時の前段において、左前充電器検知手段８ｂと右前充電器検知手段８ｃの出力より、装置本体１を正確に充電器１０と正対している状態とするので、その後の装置本体１の受電端子６と充電器１０を正確にすり合わせることが可能で、受電端子６および給電端子１１の酸化による接触抵抗増加による充電不備を防ぐことができるものである。
【００４６】
なお、本実施の形態１〜３で説明した各手段は、ＣＰＵ（またはマイコン）、ＲＡＭ、ＲＯＭ、記憶・記録装置、Ｉ／Ｏなどを備えた電気・情報機器、コンピュータ、サーバなどのハードリソースを協働させるプログラムの形態で実施してもよい。マイコンなどを用いて自律走行装置の少なくとも一部を実現すると、各種センサの変更または経年変化などの特性の変化や動作を実現するための設定条件や定数の変更が柔軟に対応できる。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００４７】
以上のように、本発明にかかる自律走行装置およびプログラムは、充電器側の給電端子と装置本体の受電端子の酸化により接触抵抗が増加した場合であっても、充電不備とはならず充電池の充電をすることができるので、自律走行掃除機、監視用ロボット、その他の作業ロボットなどの自律走行装置全般に適用できる。
【図面の簡単な説明】
【００４８】
【図１】本発明の実施の形態１における自律走行装置の構成を示すブロック図
【図２】同自律走行装置の装置本体と充電器の関係を示す外観斜視図
【図３】同自律走行装置の装置本体と充電器の関係を示す平面図
【図４】同自律走行装置の装置本体と充電器の関係を示す側面図
【図５】同自律走行装置の装置本体動作を説明する平面図
【図６】同自律走行装置の装置本体動作と充電器との関係を説明する平面図
【図７】同自律走行装置の装置本体動作を説明するフローチャート
【図８】同自律走行装置の装置本体動作と充電器との結合時の説明をする平面図
【図９】本発明の実施の形態２における自律走行装置の装置本体動作を説明するフローチャート
【図１０】本発明の実施の形態３における自律走行装置の装置本体動作を説明するフローチャート
【符号の説明】
【００４９】
１  装置本体
２  障害物検知手段
４  走行手段
５  制御手段
６  受電端子
７  充電池
８  充電器検知手段
１０  充電器
１１  給電端子
１２  電圧検知手段
１３  給電手段
１４  回転角検知手段
【図１】
2009038880.tif 000003
【図２】
2009038880.tif 000004
【図３】
2009038880.tif 000005
【図４】
2009038880.tif 000006
【図５】
2009038880.tif 000007
【図６】
2009038880.tif 000008
【図７】
2009038880.tif 000009
【図８】
2009038880.tif 000010
【図９】
2009038880.tif 000011
【図１０】
2009038880.tif 000012